(57)【要約】【課題】  作業台を車体上にコンパクトに格納して、ロアブーム，アッパーブーム，垂直ポストの長さ及び作業床の面積を十分に確保でき、且つ、車体の安定性に優れている高所作業車を提供する。【解決手段】  ロアブーム４５が車体３３の前方に延びて車体３３上に倒伏され、アッパーブーム５１が車体３３の後方に延びてロアブーム４５の上側に重なるように倒伏され、垂直ポスト５７がアッパーブーム５１の先端から後方に向かって略水平に延びる位置まで揺動され、作業台６０が車体３３の後端に位置して車体３３上に格納されるように構成されている。そして、作業台６０はアッパーブーム５１の先端から車体３３の後方に向かって略水平に延びる位置まで揺動された状態の垂直ポスト５７に対して下方に位置して車体３３上に格納され、作業台６０が車体３３上に格納された状態においてアッパーブーム５１の先端よりも作業台６０の床面が車体３３の前方に位置するように構成されている。さらに、作業台６０は、その床面が垂直ポスト５７の軸線と直角方向にスライド移動可能に構成されている。【選択図】  図１１
2004307208.tif 000002
【特許請求の範囲】
【請求項１】
車体に取り付けられた旋回台に基端部が枢結された起伏動可能なロアブームと、
前記ロアブームの先端部に基端部が枢結され該ロアブームに対して上方に起伏動可能なアッパーブームと、
前記アッパーブームの先端部に枢結された上下に揺動可能な作業台とを少なくとも備えた作業装置を有する高所作業車であって、
前記アッパーブームの先端部は、前記作業装置が格納された状態において、前記旋回台及び前記ロアブームの基端部よりも前記車体の後方に位置し、
前記作業台は、前記作業装置が格納された状態において、前記アッパーブームの下方であって該アッパーブームの先端部よりも前記車体の前方の位置に位置決めされるように前記アッパーブームに対して下方に揺動することができることを特徴とする高所作業車。
【請求項２】
前記作業台は、前記アッパーブームの先端部に基端部が枢結され上下方向に揺動可能であり且つ高所作業時には鉛直に保持される垂直ポストを介して前記アッパーブームに取り付けられ、その床面が前記垂直ポストの軸線と直角方向にスライド移動可能に構成されていることを特徴とする請求項１に記載の高所作業車。
【請求項３】
車体に取り付けられた旋回台に基端部が枢結された起伏動可能なロアブームと、
前記ロアブームの先端部に基端部が枢結され該ロアブームに対して上方に起伏動可能なアッパーブームと、
前記アッパーブームの先端部に基端部が枢結され上下方向に揺動可能であり且つ高所作業時には鉛直に保持される垂直ポストと、
鉛直に保持された状態の前記垂直ポストに対して水平となるように前記垂直ポストに取り付けられた作業台とを少なくとも備えた作業装置を有する高所作業車であって、
前記ロアブームが前記車体の前方に延びて前記車体上に倒伏され、前記アッパーブームが前記車体の後方に延びて前記ロアブームの上側に重なるように倒伏され、前記垂直ポストが前記アッパーブームの先端から後方に向かって略水平に延びる位置まで揺動され、前記作業台が前記車体の後端に位置して前記車体上に格納されるように構成され、
前記作業台は、前記アッパーブームの下面より下方に位置して前記車体上に格納され、前記作業台が前記車体上に格納された状態において前記アッパーブームの先端よりも前記作業台の床面が前記車体の前方に位置するように構成されていることを特徴とする高所作業車。
【請求項４】
前記作業台は、その床面が前記垂直ポストの軸線と直角方向にスライド移動可能に構成されていることを特徴とする請求項３に記載の高所作業車。
【発明の詳細な説明】
【技術分野】
【０００１】
本発明は、高所作業車に関し、さらに詳細には、作業台が格納時に車体の最後端に位置する高所作業車に関する。
【背景技術】
【０００２】
作業者を作業台に搭乗させて高所作業を行う高所作業車には、例えば、走行可能な車体と、車体に旋回動自在に取り付けられた旋回台と、旋回台に少なくとも起伏動自在に取り付けられたロアブームと、ロアブームの先端に少なくとも上下方向に揺動自在に取り付けられたアッパーブームと、アッパーブームの先端に上下方向に揺動自在に取り付けられ高所作業時には鉛直に保持される垂直ポストと、鉛直に保持された状態において垂直ポストに水平面内で旋回動自在に取り付けられた作業台とを備えたものがある。
【０００３】
このような構成の高所作業車において、例えば、ロアブームを車体前側方向に倒伏し、アッパーブームをロアブームの上方に重なるように倒伏し、作業台をロアブームの基部の側面に沿う位置まで旋回させて、旋回台の側方の車体上に格納するものが知られている（例えば、特許文献１を参照）。また、ロアブームを車体前側方向に倒伏し、アッパーブームをロアブームの上方に重なるように倒伏し、アッパーブームの先端から垂直ポストが下方に略鉛直状態になるまで揺動させ、作業台を車体上に格納するものが知られている（例えば、特許文献２を参照）。
【特許文献１】特開２０００−２１９４９６号公報
【特許文献２】特開２００１−２２６０９９号公報
【発明の開示】
【発明が解決しようとする課題】
【０００４】
ところで、図１３に示すように、格納時に作業台が車体の最後端に位置する高所作業車において、ロアブーム，アッパーブーム，垂直ポスト及び作業台を車体から突出しないように車体上に格納するためには、格納姿勢におけるロアブーム，アッパーブーム及び垂直ポストの長手方向の長さａと作業台の車体前後方向の長さｂとの合計値以上の長さを全長ｃとする車体が必要である。しかしながら、全長ｃは予め規定されており、ロアブーム，アッパーブーム及び垂直ポストの長手方向の長さａを確保しようとすると、作業台を小さく（すなわち作業床の車体前後方向の長さｂを短く）せざるを得ない。その結果、作業床の面積が減って作業台の積載量を増やすことができない等、使い勝手が低下するという問題が生じる。また、作業台の大きさ、すなわち作業床の車体前後方向の長さｂを確保しようとすると、先述のように全長ｃは予め規定されているため、ロアブーム，アッパーブーム及び垂直ポストの長手方向の長さａを短くせざるを得ない。その結果、高所作業時の作業範囲を狭め、作業効率が低下するという問題が生じる。
【０００５】
さらに、上記のような高所作業車では、作業台を車体上に格納した状態で運転キャビンに作業者が搭乗して車両を走行させるようになっているため、できるだけ車両の重心を低く抑えて、走行安定性を高めることが求められている。
【０００６】
本発明は、このような問題に鑑みてなされたものであり、作業台を車体上にコンパクトに格納して、ロアブーム，アッパーブーム，垂直ポストの長さ及び作業床の面積を十分に確保でき、且つ、車体の安定性に優れている高所作業車を提供することを目的とする。
【課題を解決するための手段】
【０００７】
このような目的達成のため、第１の発明は、車体に取り付けられた旋回台に基端部が枢結された起伏動可能なロアブームと、ロアブームの先端部に基端部が枢結され該ロアブームに対して上方に起伏動可能なアッパーブームと、アッパーブームの先端部に枢結された上下に揺動可能な作業台とを少なくとも備えた作業装置を有する高所作業車であって、アッパーブームの先端部は、作業装置が格納された状態において旋回台及びロアブームの基端部よりも車体の後方に位置し、作業台は、作業装置が格納された状態においてアッパーブームの下方であって該アッパーブームの先端部よりも車体の前方の位置に位置決めされるようにアッパーブームに対して下方に揺動するように構成されている。
【０００８】
また、第１の発明において、前記作業台は、アッパーブームの先端部に基端部が枢結され上下方向に揺動可能であり且つ高所作業時には鉛直に保持される垂直ポストを介してアッパーブームに取り付けられ、その床面が垂直ポストの軸線と直角方向にスライド移動可能に構成されていることが望ましい。
【０００９】
また、上記の目的を達成するために、第２の発明は、車体に取り付けられた旋回台に基端部が枢結された起伏動可能なロアブームと、ロアブームの先端部に基端部が枢結され該ロアブームに対して上方に起伏動可能なアッパーブームと、アッパーブームの先端部に基端部が枢結され上下方向に揺動可能であり且つ高所作業時には鉛直に保持される垂直ポストと、鉛直に保持された状態の垂直ポストに対して水平となるように垂直ポストに取り付けられた作業台とを少なくとも備えた作業装置を有する高所作業車であって、ロアブームが車体の前方に延びて車体上に倒伏され、アッパーブームが車体の後方に延びてロアブームの上側に重なるように倒伏され、垂直ポストがアッパーブームの先端から後方に向かって略水平に延びる位置まで揺動され、作業台が車体の後端に位置して車体上に格納されるように構成され、作業台は、前記アッパーブームの下面より下方に位置して車体上に格納され、作業台が車体上に格納された状態においてアッパーブームの先端よりも作業台の床面が車体の前方に位置するように構成されている。
【００１０】
また、第２の発明において、前記作業台は、その床面が垂直ポストの軸線と直角方向にスライド移動可能に構成されていることが望ましい。
【発明の効果】
【００１１】
第１の発明の高所作業車によれば、作業台を格納時に、他の作業装置と車体との間に形成された隙間である空間（具体的には、アッパーブームよりも下方且つアッパーブームよりも前方に位置する空間）に収容することができる。その結果、作業装置を格納する際に車体後方に突出させることなく、作業台を車体上にコンパクトに格納することができる。さらに、格納する際に作業装置の架装スペースとして許容される範囲の限度までブームを長く延ばすことができ、ひいてはブームの長さに対して車両の全長を短くすることが可能である。
【００１２】
また、第１の発明において、前記作業台をアッパーブームの先端部に基端部が枢結され上下方向に揺動可能であり且つ高所作業時には鉛直に保持される垂直ポストを介してアッパーブームに取り付けられ、その床面を前記垂直ポストの軸線と直角方向にスライド移動可能に構成しても良い。このようにすることで、格納時における車両の重心を低く抑えて走行安定性を高めることができるとともに、作業時における作業台の作業範囲をより広く確保することができる。
【００１３】
第２の発明によれば、格納時に車体の最後端に位置する作業台を車体上にコンパクトに格納することができ、予め規定された全長内でロアブームとアッパーブーム，垂直ポストの長さ及び作業台の大きさを十分に確保できる。その結果、高所作業の作業範囲及び作業床の面積を減らすことがなく、使い勝手の良い高所作業車を提供することができる。
【００１４】
また、第２の発明において、作業台をその床面が前記垂直ポストの軸線と直角方向にスライド移動可能に構成しても良い。このようにすることで、格納時における車両の重心を低く抑えて走行安定性を高めることができるとともに、作業時における作業台の作業範囲をより広く確保することができる。
【発明を実施するための最良の形態】
【００１５】
以下、図面を参照して本発明の好ましい実施形態について説明する。まず、本発明の第１の実施形態について説明する。図１及び図２には本発明のブーム式高所作業車の好ましい実施形態が示されている。具体的には、概ね旋回台１１と、ロアブーム１２と、アッパーブーム１４と、作業台１６とで構成される高所作業用の作業装置１０を架装した高所作業車２０を示している。この作業装置１０の各構成要素１１、１２、１４、１６について説明すれば、まず、旋回台１１は、車体２０に対して水平面内で回転可能に装着されており、作業装置１０の作動の際、作業装置１０全体を回転させることにより作業台１６を位置決めさせる役割を有する。また、ロアブーム１２は、旋回台１１に基端部が枢結されており、旋回台１１に対して起伏動することができる。また、アッパーブーム１４は、ロアブーム１２の先端部に基端部が枢結されており、ロアブーム１２に対して屈伸動することができる。ロアブーム１２とアッパーブーム１４とは、互いに逆方向に延びており、格納する際には互いに積み重なるように屈曲する。本高所作業車２０では、このようにブーム部材を２部材で構成させることにより、両ブーム１２、１４とを協働させて車体の長さよりも大幅に長いブーム部材を備えることができるため、結果、より高所での作業が可能となる。
【００１６】
さらに、作業台１６は、アッパーブーム１４の先端部に基端部が枢結されており、該枢結された位置を回転中心２２としてアッパーブーム１４に対して揺動可能である。この作業台１６は高所作業の際、作業員を搭載するものであるため高所作業中は常に水平状態を保持（レべリング）させる必要がある。従って、作業装置１０は、その構成要素として上記旋回台１１、ブーム１２、１４、作業台１６のみならず、所定のレベリング装置（図示せず）を備えている。このレベリング装置は、高所作業車においては従来より汎用されているものであり、電動制御のものであっても、機構的に制御するものであっても良い。具体的に言えば、電動制御のレベリング装置は、作業台１６に付与された位置センサ等を使用して作業台１６の傾斜状態を検知し、水平状態になるまで作業台１６を揺動させるものである。この揺動は、油圧又は電動のどちらでも差し支えない。また、機構的制御のレベリング装置は、主としてブーム１２、１４の起伏動に応じて伸長、縮小する油圧シリンダと、該シリンダと逆に縮小、伸長する油圧シリンダとを設け、後者のシリンダで作業台１６を揺動させるものである。この機構的なレベリング装置を採用する場合は、通常、アッパーブーム１４と作業台１６との間にレベリング部材を介在させ、作業台に連結されたレベリング部材を水平状態に保持すべくシリンダで制御する方式が採用される。なお、これらのレベリング装置の詳細については、汎用の装置であり、本発明の本質ではないためここでは省略する。
【００１７】
図１を参照すれば、ロアブーム１２、アッパーブーム１４が起仰されていない状態、すなわち作業装置１０の作動中における作業台１６が最も下方に位置する状態を示している。具体的には、ブーム１２、１４は互いに重なって格納され、作業台１６はレベリングされた状態をなしている。この状態で作業台１６とアッパーブーム１４の先端部とが枢結する位置、すなわち揺動する作業台１６の回転中心２２は、作業台１６の上方にあることが判る。
【００１８】
また、図５（Ａ）、（Ｂ）を参照すれば、このように作業台１６の回転中心２２を作業台１６の上方に位置するように構成させることとすると、作業台１６の昇降性が向上することが判る。なぜなら、図５（Ａ）に示すように回転中心２２を作業台１６の下方に配置させた場合に比して、図５（Ｂ）に示すように回転中心２２を作業台１６の上方に配置させた場合の方が作業台１６の最下位置が作業台１６の高さＬだけ余分に下方に到達し、その結果、この高さＬだけ作業台１６の昇降範囲が拡大するからである。
【００１９】
なお、ここで作業台１６のレベリングについて参照までに説明する。作業台１６は、作業員を搭載するバスケット２６と、該バスケット２６を支持しアッパーブーム１４と連結する役割を有する垂直ポスト２４とで構成されている（図１及び図５参照）。従って、作業台１６のレベリングは、垂直ポスト２４を垂直に保持させる結果、垂直ポスト２４に支持されるバスケット２６が水平に保持されることにより達成される。
【００２０】
次に、図２を参照すれば図１に示す高所作業車２０の作業台１６を格納させた状態を示している。まず、高所作業車２０は、高所作業を行う際、作業員の安全性を確保するため作業員を搭載する作業台１６をレベリングしながら作動されることは上述する通りである。すなわち、高所作業車２０は、高所作業が可能な状況、具体的には旋回台１１、ロアブーム１２、アッパーブーム１４が作動可能な状況にある場合には、作業台１６が常時レベリングされるように制御している。従って、ロアブーム１２、アッパーブーム１４を互いに積み重ねて格納しても、未だ両ブーム１２、１４が作動可能な場合には図１に示す位置よりも下方に作業台１６を揺動させることはできない。
【００２１】
しかしながら、図１に示すように作業台１６が車体２０から後方に突出した状態で、高所作業後に他の作業地点まで車体２０を走行させることは高所作業車２０の走行安全性及び周囲環境への危険回避の見地から許容されるものではないことは容易に理解される。従って、作業台１６は、図１に示す位置よりさらに車体２０に接近した位置まで移動させて格納する必要がある。具体的には、例えば、ブーム１２、１４を倒伏させ、図１に示す位置まで作業台１６が到達した後、作業台１６以外の他の作業装置１０（すなわち旋回台１１、ブーム１２、１４）が作動しないように高所作業用の作動制御回路を遮断し、別途、格納用に設けられた駆動源（図示せず）により作業台１６を揺動させて格納することとする。
【００２２】
この作業台１６をいかに格納するかを以下、説明する。まず、格納時に車体２０に架装できる作業装置１０全体の占有スペースは、所定領域に制限されている。これは高所作業車２０の走行安定性及び周囲環境への危険回避のためであることは上述する通りである。図２の高所作業車２０では、車体２０の長手方向にＸ以内で高さ方向にＹ以内に作業装置１０を収容することが要求されている。従って、作業台１６もこの範囲に収容される必要がある。
【００２３】
ここで、図２における高所作業車２０における作業台１６の格納について説明すれば、作業台１６は作業台１６とアッパーブーム１４との枢結位置（回転中心２２）を中心として時計回りに回転されることによりアッパーブーム１４の下方でアッパーブーム１４の先端部よりも前方に位置させることとしている。作業台１６を枢結位置（回転中心２２）を中心に回転させることにより格納することとしたのは、元来、作業台１６は高所作業時に揺動可能なものであるため、この揺動機構を利用して格納させる方が別途、他の格納手段を設けることに比して機構が容易であり、コストも掛からないからである。
【００２４】
また、アッパーブーム１４の下方であり且つアッパーブーム１４の先端部よりも前方に位置させることとしたのは、この位置に作業台１６が格納できることになれば上述する作業装置１０全体のうち最も上方且つ後方に位置する部分がアッパーブーム１４の先端部となり、その結果、アッパーブーム１４の長さを概ね長手方向の許容収容範囲であるＸまで拡大させることができるからである。
【００２５】
特に、アッパーブーム１４は、図示しないが２つの中空部材が入れ子状になった内部部材と外部部材とで構成され、外部部材に対して内部部材が滑動することにより伸縮する機能を有するものである。従って、上述するようにアッパーブーム１４が格納された状態（内部部材が最も外部部材の内部に進入した状態）での全長を長くすることができるということは、その内部部材と外部部材との両者ともに長くすることができるということであり、結果、より遠方の高所作業を行うことが可能なアッパーブーム１４を車体２０に架装することができることを意味する。
【００２６】
また、図１及び２に示す高所作業車２０では、図３（Ｂ）に略示するように作業台１６の回転中心２２を作業台１６の上方に位置させることにより、図３（Ａ）に略示するような作業台１６の下方に回転中心２２が位置する場合よりも、概ね車体２０の長手方向の格納スペースを小さくすることができる。詳細に説明すれば、作業台１６が回転され格納された際に、図３（Ａ）に示す作業台１６の回転中心２２を作業台１６の下方に位置させた場合には作業台１６の高さ部分（＝ａ）がアッパーブーム１４に対向するのに対して、図３（Ｂ）に示す作業台１６の回転中心２２を作業台１６の上方に位置させた場合には作業台１６の長手方向の部分すなわち底部（＝ｂ）がアッパーブーム１４に対向する。従って、作業台１６は通常、高さ部分（＝ａ）の方が、底部（＝ｂ）よりも短いため、作業台１６の回転中心２２を作業台１６の下方に位置させた場合よりも作業台１６の上方に位置させた場合の方がアッパーブーム１４の下方に必要な作業台格納スペースが小さくて良いこととなる。このことにより本高所作業車２０は、車体２０に架装されるロアブーム１２の長さを長くすることができ、より遠方に離間する地点での高所作業が可能となる。
【００２７】
なお、図３においてはアッパーブーム１４に対する作業台１６の回転中心２２の位置を作業台１６の後方に位置させた例を示して説明しているが、これは典型的な一例を示したに過ぎず、上述するように回転中心２２よりも作業台１６が下方に位置する他の実施形態を排除する目的ではない。例えば、図４に示すように回転中心２２が作業台１６の後端よりも前方に位置する場合でも、アッパーブーム１４よりも作業台１６が下方に位置するものであれば差し支えない。
【００２８】
以上の説明では、本高所作業車２０における作業台１６のような構成を採用すれば、その車体２０、特に作業装置１０の架装スペースに対してアッパーブーム１４とロアブーム１２とを最も長くすることができることが判った。
【００２９】
次に、高所作業車２０に必要なブームの長さが決定されている場合に、高所作業車２０に要求される車体２０の長さ、すなわちアッパーブーム１４とロアブーム１２との合計の長さあたりに必要な車体２０の長さについて視点を移して考察する。本高所作業車２０は上述するように所定長さの架装スペースに対して作業装置１０、特にアッパーブーム１４とロアブーム１２とを最も長くすることができる。従って、同じ作業装置１０を架装するために必要なスペースは、最も小さくすることができる。換言すれば、本高所作業車２０はアッパーブーム１４とロアブーム１２に対して最もコンパクトな車体２０を提供できることとなる。
【００３０】
以上、第１の実施形態においては、旋回台とロアブームとアッパーブームと作業台とで構成された高所作業車の格納について説明してきたが、作業台が格納される際に作業台の上方に位置された回転中心により回転されて他の作業装置と車体との間に形成された隙間に格納される構成をなせば良く、本実施の形態に記載した高所作業車のみならず、他の高所作業車、例えば、作業装置が旋回台と起伏動可能なブームとブームに対して屈伸可能なアームとアームに対して揺動可能な作業台とで構成されているもの等、種々の高所作業車で適用され得ることが容易に理解できよう。
【００３１】
なお、上記の作業台１６は、図６及び図７に示すように、垂直ポスト２４に対して垂直に取り付けられたスライドレール１７ａと、作業台１６の床面に取り付けられスライドレール１７ａを挟持して、作業台１６の床面をスライドレール１７ａに対して相対的に水平方向に（すなわち垂直ポスト２４の軸線と直角方向に）スライド移動可能に配設されたスライド部材１７ｂとを備えて構成しても良い。このような構成により、上記のように作業台１６を車体２０上に格納した後に、作業台１６を鉛直下方（すなわち、図６の一点鎖線で示す位置Ｐから矢印方向）にスライド移動させて、格納時における車両の重心を低く抑え、走行安定性を高めることができる。また、作業時において、作業台１６を水平方向（すなわち、図７の一点鎖線で示す位置Ｑから矢印方向）にスライド移動させることにより、作業台１６の移動可能範囲を広げて作業性を向上させることができる。
【００３２】
以上のように第１の実施形態について説明してきたが、上記に限定されるものではなく、本発明の要旨を逸脱しない範囲であれば、適宜改良可能である。
【００３３】
次に、第２の実施形態について説明する。本発明の高所作業車３１は、図８に示すように、車体３３の前方に運転キャビン３３ａを、前後左右に前輪３５及び後輪３７を有している。また、車体３３の前後左右の四ヶ所に、車体３３の幅方向に拡幅自在で上下方向に伸縮自在なアウトリガジャッキ３９が設けられ、高所作業時には車体幅方向に拡幅伸長させるとともに下方に張り出して車体３３を安定支持する。
【００３４】
車体３３の後部中央には、車体３３上に取り付けられたサブフレーム３３ｂを介して上方へ突出して旋回動自在な旋回台４１が設けられている。この旋回台４１の上部には入れ子式に構成されて内部に第１伸縮シリンダ４３を内蔵したロアブーム４５が起伏動自在に取り付けられ、このロアブーム４５の下面の中央部と旋回台４１の下部間に第１起伏シリンダ４７が揺動自在に枢支されている。このため、第１伸縮シリンダ４３の伸縮作動によりロアブーム４５が伸縮作動し、第１起伏シリンダ４７の伸縮作動によりロアブーム４５が起伏作動する。
【００３５】
ロアブーム４５の先端には入れ子式に構成され内部に第２伸縮シリンダ４９を内蔵したアッパーブーム５１が上下方向に揺動自在に取り付けられている。また、ロアブーム４５の先端の左右両側壁とアッパーブーム５１の基部の左右両側壁には上下方向に揺動自在な第１リンク部材５３がそれぞれ設けられ、これらの第１リンク部材５３の先端部が互いに揺動自在に連結されている。アッパーブーム５１の両側壁には第２起伏シリンダ５５のボトム側が上下方向に揺動自在に連結され、そのロッド側の先端部が連結された第１リンク部材５３の先端部に揺動自在に連結されている。このため、第２起伏シリンダ５５を伸縮作動させるとアッパーブーム５１がロアブーム４５に対して上下方向に起伏作動する。
【００３６】
アッパーブーム５１の先端には垂直ポスト５７が上下方向に揺動自在に取り付けられ、図示しないレベリング機構によりロアブーム４５及びアッパーブーム５１の作動に係らず、高所作業時には常に鉛直に保持されるようにレベリング制御される。さらに、アッパーブーム５１の先端には揺動シリンダ５９が内蔵され、図１０に示すようにロッド側の先端が第２リンク部材６１を介して垂直ポスト５７の基部に揺動自在に連結されている。この揺動シリンダ５９を伸縮作動させることにより、（アッパーブーム５１の先端に垂直ポスト５７を介して取り付けられた）作業台６０の位置を上下方向に調整することができる。
【００３７】
作業台６０は、高所作業時に鉛直に保持される垂直ポスト５７に水平面内で旋回動自在に（首振り動自在に）取り付けられ、作業台６０の床面はロアブーム４５及びアッパーブーム５１の作動に係らず、高所作業時には常に垂直ポスト５７に対して水平に保持される。また、作業台６０には、旋回台４１，ロアブーム４５，アッパーブーム５１、垂直ポスト５７の作動等を操作するための第１操作装置６５が設けられている。なお、同様の機能を有する第２操作装置（図示せず）が車体３３側に設けられている。
【００３８】
また、作業台６０は、図９に示すように、（車体３３の後方に向かって略水平に延びる位置まで倒伏された）格納状態のアッパーブーム５１の下面を含む水平面に対して（図９に示す位置Ａより）下方に位置するまで旋回動して車体３３上に格納される。このとき（作業台６０が車体３３上に格納された状態において）、アッパーブーム５１の先端よりも作業台６０の床面が車体３３の前方（図９に示す位置Ｂより前方）に位置するように構成されている。
【００３９】
このような構成の高所作業車３１は、ロアブーム４５が車体３３の前方に延びて車体３３の上に倒伏され、アッパーブーム５１が車体３３の後方に延びてロアブーム４５の上側に重なるように倒伏され、垂直ポスト５７がアッパーブーム５１の先端から後方に向かって略水平に延びる位置まで揺動され、作業台６０が車体３３の最後端に位置するように車体３３上に格納される。
【００４０】
次に、本発明の高所作業車３１の作用を説明する。最初に、図８に示すように、車体３３にロアブーム４５、アッパーブーム５１、垂直ポスト５７及び作業台６０を格納した状態で、高所作業車３１を運転して所望の高所の下方周辺まで移動さし停車させる。そして、アウトリガジャッキ９を外側に張り出して車体３３を安定支持する。
【００４１】
続いて、作業者は車体３３上に配設されている第２操作装置（図示せず）を操作し、図１０に示すように、垂直ポスト５７がアッパーブーム５１の先端から後方に向かって略水平に延びる位置（図１０に示す位置Ｃ）から略鉛直状態になる位置（図１０に示す位置Ｄ）まで揺動シリンダ５９を伸長作動させ、作業台６０に作業者が搭乗できる状態にする。
【００４２】
そして、この状態の作業台６０に作業者は乗り込み、作業台６０に設けられた第１操作装置６５を操作し、ロアブーム４５を起仰・伸長作動させ、アッパーブーム５１を上方向に揺動・伸長させ、旋回台４１を旋回作動させ、作業台６０を垂直ポスト５７に対して首振り作動させ、所望の高所に作業台６０を接近させることができる。このとき、作業台６０はレベリング制御され、作業台６０の床面は常時水平に保持されている。また、作業者は揺動シリンダ５９を伸縮作動させることで、作業台４０を上下方向に揺動させて作業位置を調整ができる。このようにして作業台６０が所望の高所に移動すると、作業者は高所作業を行う。
【００４３】
所望の高所にて作業を終了すると、作業台６０に搭乗している作業者は、第１操作装置６５を操作し、作業台６０を垂直ポスト５７に対して首振り作動させ、旋回台４１を旋回作動させ、ロアブーム４５とアッパーブーム５１を短縮作動させ、車体３３の上方にロアブーム４５及びアッパーブーム５１とを移動させて停止させる。そして、ロアブーム４５を車体３３の前方に延びるように倒伏させ、アッパーブーム５１を車体３３の後方に延びてロアブーム４５の上側に重なるように倒伏させ、作業台６０が車体３３の最後端に位置するように車体３３上に格納する。
【００４４】
続いて、作業台６０に搭乗していた作業者が作業台６０から降りた後に、車体３３上に設けられている第２操作装置（図示せず）を操作し、垂直ポスト５７が（図１０の位置Ｄに示す）略鉛直状態から（図１０の位置Ｃに示す）アッパーブーム５１の先端から後方に向かって略水平に延びる位置になるまで、揺動シリンダ５９を縮作動させる。この略水平状態となった垂直ポスト５７に対して、作業者は作業台６０を（図９に示す位置Ａより）下方に位置するまで旋回動させ、車体３３上に格納する。このとき、作業台６０はアッパーブーム５１の先端よりも作業台６０の床面が（図９に示す位置Ｂより）前方に位置している。
【００４５】
なお、上記の作業台６０は、図１１及び図１２に示すように、垂直ポスト５７に対して垂直に取り付けられたスライドレール７１ａと、作業台１６の床面に取り付けられスライドレール７１ａを挟持して、作業台１６の床面をスライドレール７１ａに対して相対的に水平方向に（すなわち垂直ポスト５７の軸線と直角方向に）スライド移動可能に配設されたスライド部材７１ｂとを備えて構成しても良い。このような構成により、上記のように作業台６０を車体３３上に格納した後に、作業台６０を鉛直下方（すなわち、図１１の一点鎖線で示す位置Ｒから矢印方向）にスライド移動させて、格納時における車両の重心を低く抑え、走行安定性を高めることができる。また、作業時において、作業台６０を水平方向（すなわち、図１２の一点鎖線で示す位置Ｓから矢印方向）にスライド移動させることにより、作業台６０の移動可能範囲を広げて作業性を向上させることができる。
【００４６】
以上のように第２の実施形態について説明してきたが、上記に限定されるものではなく、本発明の要旨を逸脱しない範囲であれば、適宜改良可能である。
【００４７】
例えば、本実施形態では、ロアブーム４５の先端にアッパーブーム５１が上下方向に揺動自在に取り付けられた、いわゆる屈折ブーム型の高所作業車３１であったが、少なくとも起伏動自在に取り付けられたブームからなる、いわゆる伸縮ブーム型の高所作業車に用いても良い。
【図面の簡単な説明】
【００４８】
【図１】本発明に係る第１の実施の形態である高所作業車において作業台以外の作業装置が格納された状態を示した図である。
【図２】図１に示す高所作業車の作業台が格納された状態を示した図である。
【図３】（Ａ）は、下方に回転中心を有する作業台の格納前後を示す略図であり、（Ｂ）は、上方に回転中心を有する作業台の格納前後を示す略図である。
【図４】図３（Ｂ）に示す実施形態の変形例である。
【図５】下方に回転中心を有する作業台と上方に回転中心を有する作業台とがそれぞれレベリングされ且つ他の作業装置が格納された状態での位置関係を示す略図である。
【図６】本発明に係る第１の実施の形態である高所作業車において、作業台の構成について改良を施した例を示す図である。
【図７】本発明に係る第１の実施の形態である高所作業車において、作業台の構成について改良を施した例を示す図である。
【図８】本発明に係る第２の実施形態における高所作業車の好ましい実施形態を示す図である。
【図９】本発明に係る第２の実施形態における高所作業車において、格納時における作業台の姿勢状態を示す図である。
【図１０】本発明に係る第２の実施形態における高所作業車において、作業時における作業台の姿勢状態を示す図である。
【図１１】本発明に係る第２の実施の形態である高所作業車において、作業台の構成について改良を施した例を示す図である。
【図１２】本発明に係る第２の実施の形態である高所作業車において、作業台の構成について改良を施した例を示す図である。
【図１３】本発明に係る高所作業車の従来の実施形態を示す図である。
【符号の説明】
【００４９】
１０    作業装置          (第１の実施形態)
１１    旋回台            (第１の実施形態)
１２    ロアブーム        (第１の実施形態)
１４    アッパーブーム    (第１の実施形態)
１６    作業台            (第１の実施形態)
１７ａ  スライドレール    (第１の実施形態）
１７ｂ  スライド部材      (第１の実施形態）
２０    高所作業車（車体）(第１の実施形態）
２２    回転中心          (第１の実施形態)
２４    垂直ポスト        (第１の実施形態)
３１    高所作業車        (第２の実施形態)
３３    車体              (第２の実施形態)
４１    旋回台            (第２の実施形態)
４５    ロアブーム        (第２の実施形態)
５１    アッパーブーム    (第２の実施形態)
５７    垂直ポスト        (第２の実施形態)
６０    作業台            (第２の実施形態)
７１ａ  スライドレール    (第２の実施形態）
７１ｂ  スライド部材      (第２の実施形態）
【図１】
2004307208.tif 000003
【図２】
2004307208.tif 000004
【図３】
2004307208.tif 000005
【図４】
2004307208.tif 000006
【図５】
2004307208.tif 000007
【図６】
2004307208.tif 000008
【図７】
2004307208.tif 000009
【図８】
2004307208.tif 000010
【図９】
2004307208.tif 000011
【図１０】
2004307208.tif 000012
【図１１】
2004307208.tif 000013
【図１２】
2004307208.tif 000014
【図１３】
2004307208.tif 000015